(57)【要約】【課題】  印画紙片に対して余白部分や画像の一部欠落等を生じない写真プリント処理を実行する写真処理装置を提供する。【解決手段】  システムコントローラ５は、フィルムスキャナ１に読み取られたコマ画像データに基づき、各コマ画像の縦寸法及び横寸法に関するサイズ情報を取得するサイズ情報取得部５７と、入力部４によって入力されたプリントサイズ情報からプリント処理を行う印画紙片の長さ寸法を認識し、カット部６１の駆動を制御する長さ寸法設定部５２と、種類取込部６０７，６０８から受信した印画紙識別情報に含まれる印画紙の銘柄コード及びサイズ情報に対応する補正値を補正テーブル５８から読み出し、印画紙の幅寸法の規定値と補正値を加算し、実測値を求める幅寸法取得部５４と、コマ画像及び印画紙片の大きさに応じて倍率変更部２２１でのコマ画像データの拡大または縮小率を決定する倍率決定部５５とを備える。【選択図】      図２
2005203899.tif 000002
【特許請求の範囲】
【請求項１】
所定幅を有する長尺の印画紙を設定長でカットするカッタを搬送途中に備えた搬送部と、カットされた印画紙片に、２次元の原画像の画像データで変調された光を露光する露光部とを有する写真処理装置において、前記印画紙の前記幅寸法を取得する幅取得手段と、前記原画像のサイズ、前記設定長及び取得された幅寸法を用いて、この原画像の一部を前記印画紙片に露光するべく該原画像データに倍率変更処理を施して前記露光部へ出力する変倍処理手段とを備えたことを特徴とする写真処理装置。
【請求項２】
前記印画紙はロール状態で引き出し可能にマガジンに収納されてなり、前記幅取得手段は、前記マガジンに設けられた収納印画紙の識別情報設定部からの識別情報を該マガジンが装置本体に装着された状態で読み取る読取手段であることを特徴とする請求項１記載の写真処理装置。
【請求項３】
前記識別情報は印画紙を特定する銘柄情報であり、前記幅取得手段は、印画紙の識別情報と該印画紙の幅寸法とを関連付けて記録するメモリを有することを特徴とする請求項２記載の写真処理装置。
【請求項４】
前記識別情報は、印画紙の幅寸法を含むことを特徴とする請求項２記載の写真処理装置。
【請求項５】
前記変倍処理手段は、前記印画紙片の長さ及び幅寸法の比率と原画像の縦横の比率とを一致させるべく原画像の縦方向にトリミング領域を設定するトリミング手段を備えることを特徴とする請求項１〜４のいずれか記載の写真処理装置。
【請求項６】
印画紙片の周囲に等幅分の非露光領域を形成する縁有り露光モードが選択可能に備えられ、前記変倍処理手段は、縁有り露光モードが選択されたときに、前記印画紙片の、縁寸法を除いた長さ方向寸法及び幅方向寸法の比率と原画像の縦横の比率とを一致させるべく原画像の縦方向にトリミング領域を設定するトリミング手段を備えることを特徴とする請求項１〜４のいずれか記載の写真処理装置。
【発明の詳細な説明】
【技術分野】
【０００１】
本発明は、長尺の印画紙をカットして形成された、印画紙片のサイズに合わせて２次元の画像を露光する写真処理装置に関する。
【背景技術】
【０００２】
従来、ロール状にして収納された印画紙をマガジンから繰り出して、所定寸法にカットした後、このカットされた印画紙片に、カメラ等での撮影画像を露光することで写真をプリント出力する写真処理装置が提案されている（例えば、特許文献１）。プリントの注文に際しては、プリントサイズは予め複数種類が規定サイズとして準備されており、注文者はこれらの規定サイズの中から注文サイズを選択し、プリント処理に際しては、印画紙は選択されたサイズのものがマガジンに収納され、一方、撮影画像データは選択されたプリントサイズに適合するように画像サイズに拡大、縮小等の変倍処理が施されるようになっており、これにより注文者の所望するサイズの写真が得られていた。
【発明の開示】
【発明が解決しようとする課題】
【０００３】
しかしながら、印画紙片の幅寸法は、全て規定サイズに一致しているともいえず、同一の規格サイズであっても印画紙メーカによって実際には少しずつ異なることがあるため、プリント処理を行う印画紙片の幅寸法が規格サイズの幅寸法より大きい場合に、変倍後の画像データを印画紙片に露光すると、印画紙片の左右縁部において画像が形成されていない余白部分が発生し、逆に印画紙片の幅寸法が規格サイズの幅寸法より小さい場合には、画像データの左右両側の一部が欠落し、画像全体が印画紙片にプリントされないという問題点があった。
【０００４】
また、印画紙片の縁部以外に露光処理を行い、画像の周辺に白縁を形成する縁有りプリントを行う場合には、印画紙片の幅寸法が規格サイズの幅寸法と異なることによって、希望の縁幅が得られないという問題点があった。
【０００５】
本発明は上記問題点を解決するためになされたものであって、プリント処理を行う印画紙片に対応した適正な大きさで画像のプリント処理を実行する写真処理装置を提供することを目的とする。
【課題を解決するための手段】
【０００６】
請求項１に係る写真処理装置は、所定幅を有する長尺の印画紙を設定長でカットするカッタを搬送途中に備えた搬送部と、カットされた印画紙片に、２次元の原画像の画像データで変調された光を露光する露光部とを有する写真処理装置において、前記印画紙の前記幅寸法を取得する幅取得手段と、前記原画像のサイズ、前記設定長及び取得された幅寸法を用いて、この原画像の一部を前記印画紙片に露光するべく該原画像データに倍率変更処理を施して前記露光部へ出力する変倍処理手段とを備えたことを特徴とする。この構成によれば、前記幅取得手段によって印画紙の前記幅寸法が取得され、前記変倍処理手段によって前記原画像のサイズ、前記設定長及び取得された幅寸法に応じて原画像データに倍率変更処理が施される。従って、印画紙の幅寸法が規定サイズと異なる場合であっても、印画紙の幅寸法の実測値に合わせて画像データに倍率変更処理が施され、この倍率変更処理が行われた画像データで印画紙片に対し露光処理が行なわれるので、当該印画紙片に対し余白部分や画像の一部欠落等が生じない写真プリントが得られる。
【０００７】
請求項２に係る写真処理装置は、請求項１記載の写真処理装置において、前記印画紙はロール状態で引き出し可能にマガジンに収納されてなり、前記幅取得手段は、前記マガジンに設けられた収納印画紙の識別情報設定部からの識別情報を該マガジンが装置本体に装着された状態で読み取る読取手段であることを特徴とする。この構成によれば、前記読取手段により、前記マガジンに設けられた収納印画紙の識別情報設定部からの識別情報が装置本体に装着された状態でマガジンから読み取られ、前記読取手段によって読み取られた識別情報に基づき印画紙の幅寸法が特定される。
【０００８】
請求項３に係る写真処理装置は、請求項２記載の写真処理装置において、前記識別情報は印画紙を特定する銘柄情報であり、前記幅取得手段は、印画紙の識別情報と該印画紙の幅寸法とを関連付けて記録するメモリを有することを特徴とする。この構成によれば、前記読取手段により、前記マガジンに設けられた収納印画紙の識別情報設定部からの銘柄情報が装置本体に装着された状態でマガジンから読み取られると共に、前記メモリから印画紙の銘柄情報に対応する印画紙の幅寸法が取得され、印画紙の幅寸法が特定される。
【０００９】
請求項４に係る写真処理装置は、請求項２記載の写真処理装置において、前記識別情報は、印画紙の幅寸法を含むことを特徴とする。この構成によれば、前記読取手段によって読み取られた識別情報から印画紙の幅寸法に関する情報が取得され、印画紙の幅寸法が特定される。
【００１０】
請求項５に係る写真処理装置は、請求項１〜４のいずれか記載の写真処理装置において、前記変倍処理手段は、前記印画紙片の長さ及び幅寸法の比率と原画像の縦横の比率とを一致させるべく原画像の縦方向にトリミング領域を設定するトリミング手段を備えることを特徴とする。この構成によれば、前記変倍処理手段によって原画像データの倍率変更処理が施される前に、前記トリミング手段によって、印画紙片の長さ及び幅寸法の比率と原画像の縦横の比率とを一致させるべく原画像の縦方向にトリミング領域が設定される。従って、印画紙の幅寸法が規定サイズと異なる場合であっても、印画紙の幅寸法の実測値に合わせて画像データにトリミング処理が施されるので、倍率変更処理後の画像データの大きさが印画紙片の大きさに一致し、印画紙片に対して余白部分や画像の一部欠落等が生じない写真プリントが得られる。
【００１１】
請求項６に係る写真処理装置は、請求項１〜４のいずれか記載の写真処理装置において、印画紙片の周囲に等幅分の非露光領域を形成する縁有り露光モードが選択可能に備えられ、前記変倍処理手段は、縁有り露光モードが選択されたときに、前記印画紙片の、縁寸法を除いた長さ方向寸法及び幅方向寸法の比率と原画像の縦横の比率とを一致させるべく原画像の縦方向にトリミング領域を設定するトリミング手段を備えることを特徴とする。この構成によれば、縁有り露光モードが選択された時は、前記変倍処理手段によって原画像データの倍率変更処理が施される前に、前記トリミング手段によって、前記印画紙片の、縁寸法を除いた長さ方向寸法及び幅方向寸法の比率と原画像の縦横の比率とを一致させるべく原画像の縦方向にトリミング領域を設定される。従って、印画紙の幅寸法が規定サイズと異なる場合であっても、印画紙の幅寸法の実測値に合わせて画像データにトリミング処理が施されるので、倍率変更処理後の画像データの大きさが印画紙片の縁寸法を除いた露光領域の大きさに一致し、写真プリントにおいて所望サイズの縁寸法が得られる。
【発明の効果】
【００１２】
請求項１に係る写真処理装置によれば、印画紙の幅寸法の実測値に合わせて画像データに倍率変更処理を施し、印画紙片に対し露光処理を行うことができ、余白部分や画像の一部欠落等が発生しない等、プリントする印画紙片に対応した適正な大きさの画像でプリントを得ることができる。
【００１３】
請求項２に係る写真処理装置によれば、前記読取手段によってマガジンに設けられた識別情報設定部から識別情報を読み出すことにより、印画紙の幅寸法を容易に特定することができる。
【００１４】
請求項３に係る写真処理装置によれば、前記読取手段によって読み取られた銘柄情報に対応する印画紙の幅寸法をメモリから読み出し、印画紙の幅寸法を容易に特定することができる。
【００１５】
請求項４に係る写真処理装置によれば、前記読取手段によって読み取られた識別情報から印画紙の幅寸法に関する情報を取得し、印画紙の幅寸法を容易に特定することができる。
【００１６】
請求項５に係る写真処理装置によれば、倍率変更処理後の画像データの大きさを印画紙片の大きさに一致させることができ、余白部分や画像の一部欠落等が発生してない写真プリントを得ることができる。
【００１７】
請求項６に係る写真処理装置によれば、倍率変更処理後の画像データの大きさを印画紙片の縁寸法を除いた露光領域の大きさに一致させることができ、写真プリントにおいて所望サイズの縁寸法を得ることができる。
【発明を実施するための最良の形態】
【００１８】
図１は、本発明に係る写真処理装置の一実施形態を示す概略構成図である。
【００１９】
写真処理装置は、ネガ又はポジフィルム等から画像を読み取るフィルムスキャナ１と、フィルムスキャナ１で取り込まれた画像データに対して所定のデータ処理や画像編集を行う画像処理部２と、フィルムスキャナ１で取り込まれた画像データや、画像のプリントサイズ、枚数等のプリント条件を入力するための入力画面などを表示するための表示部３と、所定の画像処理やプリント処理の指示を入力するためのキーボード、マウス等の入力部４と、装置全体の動作を制御するシステムコントローラ５とを備えると共に、装置本体に着脱可能に装着されるマガジンＭ１，Ｍ２に収容される長尺状の印画紙を引き出し、カット部６１で切断された印画紙片を下流に搬送する印画紙搬送部６と、印画紙の搬送路中に設けられ、印画紙のデータ処理や画像編集された画像データを光信号に変換して、搬送中の印画紙片に露光する画像露光ヘッドを含む画像露光部７と、露光された印画紙片を現像する現像処理部８とを備える。
【００２０】
フィルムスキャナ１は、例えば現像済みのカラーネガ(又はポジ)フィルム１０の各コマを読み取り位置に移送するフィルム移送部１１と、フィルム１０の各コマの画像を読み取る画像読取部１２とを備える。
【００２１】
フィルム移送部１１は、フィルムカートリッジ１１０から繰り出されるフィルム１０を巻取るためのフィルム巻取ローラ１１１、フィルム巻取ローラ１１１を回転駆動する駆動モータ１１２、及び駆動モータ１１２の駆動を制御するフィルム移送制御部１１３から構成される。フィルム移送制御部１１３からの制御信号に基づき駆動モータ１１２を回転させ、フィルム巻取ローラ１１１によりフィルム１０をコマ寸法分づつ間欠的に移送し、各コマを読取り位置に順次対向させる。
【００２２】
画像読取部１２は、フィルム１０の移送路の下部に配設され、上方を照明する白色光の光源用ランプ１１９、光源用ランプ１１９の発光量を制御するランプ制御部１２０、フィルム１０の各コマの画像を読み取るためにＣＣＤ等からなるエリアセンサとしての撮像素子１２１、撮像素子１２１による画像の読み取りを制御する読取制御部１２２、フィルム１０の各コマの画像を撮像素子１２１の受光面に結像させるレンズ１２３、フィルム１０とレンズ１２３との間に挿入され、フィルム１０の画像をＲ、Ｇ、Ｂの３色に分離する各色の光学フィルタ１２４、光学フィルタ１２４の各色部分をフィルム１０とレンズ１２３との間に挿入するべく移動させるフィルタ駆動モータ１２５、フィルタ駆動モータ１２５の駆動を制御するフィルタ送り制御部１２６、撮像素子１２１で読み取ったアナログの画像信号を例えば８ビットの階調レベルでディジタルの画像データに変換するＡ／Ｄ変換器１２７等から構成されている。
【００２３】
画像処理部２は、読取制御部１２２からＡ／Ｄ変換器１２７を介して入力される画像データを記憶する少なくとも１画面分の画像の記憶容量を有するＲＡＭ等からなる画像メモリ２３、読み取った各コマの画像のレイアウト、プリント倍率等の編集情報が記憶されたメモリ２１、メモリ２１の編集情報に基づき画像メモリ２３に取り込まれた画像データを読み出して所定の処理、例えば画像データの倍率変更処理を行う倍率変更部２２１、画像のうち露光する領域を設定するべく画像の一部をトリミングするトリミング処理部２２２を有する処理部２２、露光する画像の１ライン分の画像データを一時的に記憶する各色毎のラインバッファ２４等から構成されている。
【００２４】
システムコントローラ５は、ＣＰＵ（Central  Processing   Unit）を備えると共に各部の動作を制御するプログラムを記憶したＲＯＭ(Read   Only   Memory)、及びＣＰＵの作業領域であるＲＡＭ（Random  Access  Memory）を備える。
【００２５】
画像処理装置は、少なくとも１機分の、本実施形態では、２機のマガジンＭ１，Ｍ２が着脱可能な構成を有する。マガジンＭ１，Ｍ２内には長尺状の印画紙がロール状態で収納されており、各印画紙は異なる種類の印画紙であり、例えば、銘柄（メーカ）、幅寸法がそれぞれ異なる。
【００２６】
印画紙搬送部６は、２機のマガジンＭ１，Ｍ２のうち作業者によって選択されたマガジンから印画紙を引き出し、搬送路Ｌに送り出す搬出部６０ａ，６０ｂと、搬送路Ｌ上に設けられ、送り出された印画紙を所定寸法にカットするカット部６１と、カット部６１によってカットされた印画紙片を露光ヘッド部７１の露光位置に搬送する搬送部６２とを備えている。
【００２７】
搬出部６０ａ，６０ｂは、２機のマガジンＭ１，Ｍ２のうち選択されたマガジンから印画紙を引き出し、共通の搬送路Ｌに送り出す搬送ローラ対６０１，６０４と、各搬送ローラ対６０１，６０４を回転駆動させる搬送モータ６０２，６０５と、各搬送モータ６０２，６０５の駆動を制御する搬出制御部６０３，６０６と、２機のマガジンＭ１，Ｍ２に近接して設けられ、マガジンＭ１，Ｍ２に設けられた識別情報部、例えば所定ビット数に対応する個数のディップスイッチからなるコード情報や、バーコード等の収容されている印画紙の印画紙識別情報を読み取り、読み取った印画紙識別情報をシステムコントローラ５に送信する種類取込部６０８，６０７とを備える。ここで、マガジンＭ１，Ｍ２に設けられた印画紙識別情報には、印画紙の製造メーカを特定する銘柄情報、印画紙の幅寸法を特定するサイズ情報、面質を特定するための品質情報等が含まれている。なお、印画紙識別情報の取込手段はこれに限定されず、マガジンＭ１，Ｍ２に形成された数ビットの穴の有無、マグネット片の有無を光学的、磁気的に検出して、銘柄等を判断する手段が採用可能である。
【００２８】
カット部６１は、印画紙の上下に配設された楔形状の上切断刃６１２と下切断刃６１３とからなり、上切断刃６１２及び下切断刃６１３の上下移動によって印画紙を挟み込むことによって印画紙を幅方向にカットするカッタ６１１と、カッタ６１１の上切断刃６１２と下切断刃６１３を上下に駆動する駆動モータ６１４と、駆動モータ６１４の駆動タイミングを制御し，搬送されてきた印画紙を設定されたプリントサイズに対応する長さ寸法（搬送量）でカットして、印画紙片を作成するカッタ制御部６１５とを備えている。
【００２９】
搬送部６２は、露光ヘッド部４５３の上流及び下流側に設けられた搬送ローラ対６２１，６２２と、搬送ローラ対６２１、６２２を回転駆動する搬送モータ６２３と、搬送モータ６２３の駆動を制御する印画紙移送制御部６２４とから構成されている。印画紙の搬送量は、印画紙移送制御部６２４の搬送モータ６２３に対する駆動信号により調整される。
【００３０】
画像露光部７は、印画紙片へ画像の印画を行う露光ヘッド部７１、露光ヘッド部７１を動作させる露光ヘッド制御部７２、及び露光ヘッド制御部７２に対して露光動作の制御を行う露光制御部７３から構成されている。露光ヘッド部７１は、画像データを光信号に変換して印画紙片に出力するものである。露光ヘッド制御部７２は、露光ヘッド部７１の駆動を制御するものである。露光制御部７３は、ラインバッファ２４から送出されてきた画像データに基づいて、搬送部６２と露光ヘッド制御部７２とを同期制御し、印画紙片に各コマの画像が正確に露光されるように制御する。露光ヘッド部７１は、レーザ光をポリゴンミラー等を利用して走査する走査光学系のもの、アレイ状に配列されたＬＥＤ素子、アレイ状に配列されたＰＬＺＴ素子等が採用可能である。
【００３１】
現像処理部８は、現像液の充填された液槽８１を備えており、露光ヘッド部７１で露光された印画紙片が液槽８１の下流側に配設された図略の露光済印画紙移送部により移送されて液槽８１内の現像液に浸漬されることにより、印画紙片への露光により形成された潜像を顕在化及び安定化させる。
【００３２】
図２は、図１に示す写真処理装置の構成を示すブロック図である。システムコントローラ５は、プリント条件受付部５０、マガジン設定部５１、長さ寸法設定部５２、縁幅設定部５３、幅寸法取得部５４、倍率決定部５５、トリミング領域設定部５６、サイズ情報取得部５７及び補正テーブル５８を備える。
【００３３】
プリント条件受付部５０は、入力部４から入力される画像データのプリント枚数、プリントサイズ等のプリント条件をプリント条件データとして受け付ける。マガジン設定部５１は、入力部４から入力されたプリントサイズ情報と、種類取込部６０７，６０８から受信した印画紙識別情報に含まれるサイズ情報とを比較し、注文プリントサイズに適合する、あるいは注文プリントに対応する幅を有する印画紙を収納するマガジンが装着されているか否かを判断し、注文プリントサイズの印画紙を収納するマガジンＭ１，Ｍ２が装着されている場合は、当該マガジンＭ１，Ｍ２の搬出部６０ａ，６０ｂに対し駆動開始指示を行ない、該当するマガジンが装着されていない場合は、例えば表示部３でマガジンの変更を指示する。長さ寸法設定部５２は、入力部４から入力されたプリントサイズ情報をカッタ制御部６１５に送信する。これにより、カッタ制御部６１５によりカッタ６１１の作動タイミングが制御され、印画紙の先端がカッタ６１１の切断位置から設定長分移動したタイミングでカッタ６１１が駆動され、印画紙が設定された長さ寸法でカットされる。縁幅設定部５３は、入力部４によって縁有りプリントモードが設定されると共に印画紙片の４辺に形成される白縁の幅寸法に関する縁幅データが入力され、同時に入力部４によってプリント開始指示が入力されると、縁幅データを画像処理部２に送信する。
【００３４】
サイズ情報取得部５７は、フィルムスキャナ１に読み取られた各コマの画像データに基づき、各コマ画像の縦寸法及び横寸法に関するサイズ情報を取得する。幅寸法取得部５４は、種類取込部６０７，６０８からの印画紙識別情報に含まれる印画紙の銘柄コード及びサイズ情報に対応する補正値を補正テーブル５８から読み出し、印画紙の幅寸法の規定値と補正値とを加算し、実測値を求める。倍率決定部５５は、フィルムスキャナ１により読み取られたコマ画像（原画像）及びカット部６１によりカットされた印画紙片の大きさに合わせてコマ画像データの拡大または縮小率（変倍率）を決定する。
【００３５】
トリミング領域設定部５６は、コマ画像の一部を露光すべき画像領域として抽出（指定）するトリミング領域の設定を行う。具体的には、トリミング領域設定部５６は、幅寸法取得部５４によって算出された幅寸法の実測値に対する長さ寸法設定部５２によって設定された印画紙片の長さ寸法の比率（以下、「印画紙片の縦横比」という）を求めると共に、サイズ情報取得部５７によって得られたコマ画像の縦寸法に対する横寸法の比率（以下、「コマ画像の縦横比」という）を求める。トリミング領域設定部５６は、求めたコマ画像の縦横比が印画紙片の縦横比に一致若しくは小さくなるようにコマ画像のトリミング領域を決定し、このトリミング領域の幅を特定するトリミング幅データを画像処理部２に送信する。
【００３６】
入力部４から縁有りプリンタモードが設定されている場合、トリミング領域設定部５６は、まず、印画紙片上の露光領域のサイズを求める。具体的には、印画紙片の長さ寸法から上下両端の縁幅の合計値を減算し、露光領域の縦幅を求め、幅寸法の規定値から左右両端の縁幅の合計値を減算し、露光領域の横幅を求める。トリミング領域設定部５６は、コマ画像の縦横比が露光領域の縦横比に一致するようにコマ画像のトリミング領域を決定すし、このトリミング領域の幅を特定するトリミング幅データを画像処理部２に送信する。
【００３７】
トリミング処理部２２２は、トリミング領域設定部５６から送信されたトリミング幅データを用い、画像メモリ２３に記憶されるコマ画像の上下両辺のトリミング幅分の画像データをトリミングし、コマ画像の縦横比を調整する。
【００３８】
補正テーブル５８は、印画紙の銘柄を特定する銘柄コード、印画紙の幅寸法の規定値を特定するサイズ情報、及び印画紙の幅寸法の規定値と予め計測した実測値とのずれである補正値に関する補正情報を関連付けて記憶する。
【００３９】
図３は補正テーブル５８のデータ構造図の一例を示す図である。補正テーブル５８には、銘柄コード、規定値及び補正値が記憶されており、図に示すように、例えば、銘柄コードが「ＸＸＹＹ」であり、印画紙の幅寸法の規定値が「Ｌ１」である場合、補正値は「＋０．３」（ｍｍ）、識別コードが「ＡＡＢＢ」であり、印画紙の幅寸法の規定値が「Ｌ１」である場合、補正値は「＋０．７」（ｍｍ）であり、識別コードが「ＣＣＤＤ」であり、印画紙の幅寸法の規定値が「Ｌ１」である場合、補正値は「−０．１」（ｍｍ）であり、識別コードが「ＣＣＣＣ」であり、印画紙の幅寸法の規定値が「Ｌ１」である場合、補正値は「０」（ｍｍ）であることを示す。なお、ここでの銘柄コード及び補正値は，単なる一例であって印画紙の種類に応じて変化するものであることは言うまでもない。
【００４０】
図４は図２に示すシステムコントロールの処理を示すフローチャートである。
【００４１】
フィルム１０がフィルムスキャナ１にセットされ、入力部１によってフィルムスキャナ１による画像読み取りの開始操作が行なわれると、ステップ１において、フィルムスキャナ１によってフィルム上の画像データがコマ単位で読み取られる。ステップＳ３において、サイズ情報取得部５７によって各コマ画像のサイズ情報が取得され、記憶手段（図示省略）に記憶される。ステップＳ５において、表示部３には、フィルムスキャナ１で読み取られた全コマの画像データ及びプリント枚数、プリントサイズ等のプリント条件を設定するための設定画面が表示され、入力部４によってプリント条件の設定操作が行なわれると、ステップＳ７に進み、プリント条件受付部５０によって設定されたプリント条件データが受け付けられる。
【００４２】
次に、ステップＳ９において、マガジン設定部５１は、種類取込部６０７，６０８からそれぞれ取得した印画紙識別情報に含まれるプリントサイズ情報に基づき、注文プリントサイズに適合する幅を有する印画紙を収納するマガジンをマガジンＭ１，Ｍ２から選択し、ここでは例えばマガジンＭ１を選択し、当該マガジンＭ１の搬出部６０ａに対し駆動開始指示を行なう。これにより、搬出部６０ａによってマガジンＭ１から印画紙が引き出され、印画紙搬送路Ｌに搬送される。ステップＳ１１において、長さ寸法設定部５２は、プリント条件受付部５０により受け付けられたプリントサイズ情報をカッタ制御部６１５に送信すると、カッタ制御部６１５によってカッタ６１１の作動タイミングが制御され、マガジンＭ１から引き出され搬送されてくる印画紙が設定された長さでカットされる。ステップＳ１３において、縁幅設定部５３は、縁有りプリントモードが設定されているか否かを判断し、縁有りプリントモードが設定されている場合は、ステップＳ１５に進み、縁幅データを処理部２２に送信し、縁有りプリントモードが設定されていない場合、即ち通常プリントモードの場合は、ステップＳ１５を省略し、ステップＳ１７に進む。なお、この他にシステムコントローラ５にはプリント枚数やレイアウト等の画像の編集処理を設定する設定データを画像処理部２に送信しているが、ここではその説明は省略する。
【００４３】
次に、ステップＳ１７において、幅寸法取得部５４は、マガジン設定部５１から送信されてきた銘柄コード及びサイズ情報に基づき対応する補正値を補正テーブル５８から読み出し、サイズ情報で特定される印画紙片の幅寸法の規定値及び補正値を加算し、実測値を求める。ステップＳ１９において、トリミング領域設定部５６は、幅寸法取得部５４によって取得された印画紙片の幅寸法の実測値及び長さ寸法の比率から縦横比を求めると共に、サイズ情報取得部５７によって取得されたコマ情報の縦寸法及び横寸法から縦横比を求め、コマ画像の縦横比が印画紙片の縦横比に一致または小さくなるようにコマ画像の上下両辺のトリミング領域を決定し、トリミング領域の幅寸法を特定するトリミング幅データを画像処理部２に送信する。
【００４４】
縁有りプリントモードが設定されている場合は、トリミング領域設定部５６は、印画紙片上の露光領域のサイズを求める。具体的には、印画紙片の長さ寸法から上下両端の縁幅ｉの合計値を減算し、露光領域の縦幅を求め、幅寸法の規定値から左右両端の縁幅ｉの合計値を減算し、露光領域の横幅を求める。そして、コマ画像の縦横比が露光領域の縦横比に一致するようにコマ画像のトリミング領域を決定する。ステップＳ２１において、トリミング処理部２２２は、トリミング領域設定部５６により設定されたトリミング幅データをもとにコマ画像の上下両辺においてトリミング幅分の画像データをトリミングする。
【００４５】
ステップＳ２３において、倍率決定部５５は、印画紙片の大きさに応じてコマ画像の拡大または縮小率を決定する。具体的には、倍率決定部５５は、コマ画像の横方向の寸法に対する印画紙片の幅寸法の実測値の比率を求める。ステップＳ２５において、倍率決定部５５により決定された倍率値が１である場合、ステップＳ２９に進み、倍率変更部２２１による画像の倍率変更処理は行なわれず、一方、倍率決定部５５により決定された倍率値が１ではない場合、ステップＳ２７に進み、倍率変更部２２１によって設定された倍率値によってコマ画像データの拡大または縮小処理が行なわれる。ステップＳ３１において、露光ヘッド部７１によって倍率変更処理後の画像データで変調された光により露光処理が行なわれる。
【００４６】
図５は縁無しプリントを行う場合のコマ画像の倍率変更処理を説明するための図であり、（Ａ１）〜（Ａ２）は印画紙片の幅寸法が規定サイズと同一である場合、（Ｂ１）〜（Ｂ３）は印画紙片の幅寸法が規定サイズより大きい場合、（Ｃ１）〜（Ｃ３）は印画紙片の幅寸法が規定サイズより小さい場合のコマ画像の倍率変更処理を説明するための図である。
【００４７】
まず、（Ａ１）〜（Ａ２）を用いて印画紙片の幅寸法が規定サイズと同一である場合のコマ画像の倍率変更処理を説明する。（Ａ１）はフィルムスキャナ１で読み取られたコマ画像、（Ａ２）はコマ画像が拡大された画像データにより印画紙片に対し露光処理が行われた状態を示す図である。ここで、種類取込部６０８によって読み取られる識別コードは、例えば「ＣＣＣＣ」であり、印画紙の幅寸法の規定値は「Ｌ１」であるとする。幅寸法取得部５４は、補正テーブル５８から識別コード「ＣＣＣＣ」及び規定値「Ｌ１」より補正値が「０」であると判断し、印画紙片の幅寸法の実測値ｅ１を規定値Ｌ１と同一の値あると判断する。コマ画像のトリミング領域は、トリミング領域を除くコマ画像の縦寸法ｃ１及び横寸法ｂから求められる縦横比が、印画紙片の長さ寸法ｆ及び幅寸法の実測値ｅ１によって求められた縦横比より大きくなるようにトリミング領域設定部５６によって設定される。また、画像の倍率値は、コマ画像の横寸法ｂに対する印画紙片の幅寸法の実測値ｅ１の倍率値であって、例えば、Ｚ倍とする。そして、倍率変更部２２１によってＺ倍に拡大されたコマ画像データは、横寸法ｂ１が印画紙片の幅寸法の実測値ｅ１に一致すると共に、縦寸法ａ１は印画紙片の長さ寸法ｆより大きくなり、コマ画像の一部が印画紙片に露光されることなくスピルオーバする。
【００４８】
次に、（Ｂ１）〜（Ｂ３）を用いて印画紙片の幅寸法が規定サイズより大きい場合のコマ画像の倍率変更処理を説明する。（Ｂ１）はフィルムスキャナ１で読み取られたコマ画像、（Ｂ２）はコマ画像が本実施形態で求められた倍率値によって拡大された画像データにより印画紙片に対し露光処理が行われた状態、（Ｂ３）はコマ画像が従来の方法で求められた倍率値によって拡大された画像データにより印画紙片に対し露光処理が行なわれた状態を示す図である。ここで、種類取込部６０８によって読み取られる識別コードは「ＡＡＢＢ」であり、印画紙片の幅寸法の規定値は「Ｌ１」であるとする。
【００４９】
（Ｂ３）に示すように、倍率値（Ｚ倍）で拡大された画像によって印画紙片に対し露光処理が行なわれると、印画紙片の幅寸法の実測値ｅ２が規定値Ｌ１より大きいため、印画紙片の左右両端に画像が焼き付けられていない余白部分が発生する。これに対し、本実施形態では、幅寸法取得部５４は、補正テーブル５８から識別コード「ＡＡＢＢ」及び規定値「Ｌ１」より補正値が「＋０．７」であると判断し、印画紙片の幅寸法の実測値ｅ２を規定値Ｌ１に０．７加算した値であると判断する。コマ画像のトリミング領域は、トリミング領域を除くコマ画像の縦寸法ｃ２及び横寸法ｂから求められる縦横比が、印画紙片の長さ寸法ｆ及び幅寸法の実測値ｅ２よって求められた縦横比より大きくなるようにトリミング領域設定部５６によって設定される。また、画像の倍率値は、印画紙片の横寸法の実測値ｅ２が規定値Ｌ１より大きいため、例えば、Ｚ倍より大きいＺ´倍が設定される。倍率変更部２２１によってＺ´倍に拡大されたコマ画像データは、横寸法ｂ２が印画紙片の幅寸法の実測値ｅ２に一致すると共に、縦寸法ａ２は印画紙片の長さ寸法ｆより大きくなり、コマ画像の一部が印画紙片に露光されることなくスピルオーバする。
【００５０】
次に、（Ｃ１）〜（Ｃ３）を用いて印画紙片の幅寸法が規定サイズより小さい場合のコマ画像の倍率変更処理を説明する。（Ｃ１）はフィルムスキャナ１で読み取られたコマ画像、（Ｃ２）はコマ画像が本発明の方法で求められた倍率値によって拡大された画像データにより印画紙片に対し露光処理が行われた状態、（Ｃ３）はコマ画像が従来の方法で求められた倍率値によって拡大された画像データにより印画紙片に対し露光処理が行なわれた状態を示す図である。ここで、種類取込部６０８によって読み取られる識別コードは「ＣＣＤＤ」であり、印画紙片の幅寸法の規定値は「Ｌ１」であるとする。
【００５１】
（Ｃ３）に示すように、倍率値（Ｚ倍）で拡大された画像によって印画紙片に対し露光処理が行なわれると、印画紙片の幅寸法の実測値ｅ３が規定値Ｌ１より小さいため、印画紙片の上下両端と共に左右両端にもスピルオーバが発生する。これに対し、本実施形態では、幅寸法取得部５４は、補正テーブル５８の識別コード「ＣＣＤＤ」及び規定値「Ｌ１」より補正値が「−０．１」であると判断し、規定値Ｌ１から０．１を減算し、印画紙片の幅寸法の実測値ｅ３を求める。コマ画像のトリミング領域は、トリミング領域を除くコマ画像の縦寸法ｃ３及び横寸法ｂから求められる縦横比が、印画紙片の長さ寸法ｆ及び幅寸法の実測値ｅ３によって求められた縦横比より小さくなるようにトリミング領域設定部５６によって設定される。また、画像の倍率値は、印画紙片の横寸法の実測値ｅ３が規定値Ｌ１より小さいため、例えば、Ｚ倍より小さいＺ´´倍が設定される。倍率変更部２２１によってＺ´´倍に拡大されたコマ画像データは、横寸法ｂ３が印画紙片の幅寸法の実測値ｅ３に一致すると共に、縦寸法ａ３は印画紙片の長さ寸法ｆより大きくなり、コマ画像の一部が印画紙片に露光されることなくスピルオーバする。
【００５２】
このように印画紙片の幅寸法の実測値に基づき画像のトリミング処理及び倍率変更処理をするので、倍率変更処理後のコマ画像の横寸法を印画紙片の幅方向の実測値に一致させることができ、印画紙片の幅方向において余白部分や画像の一部欠落等を生じない写真プリントを得ることができる。
【００５３】
図６は縁有りプリントを行う場合のコマ画像の拡大・縮小処理を説明するための図であり、（Ｄ１）〜（Ｄ２）は印画紙片の幅寸法が規定サイズと同一である場合、（Ｅ１）〜（Ｅ３）は印画紙片の幅寸法が規定サイズより大きい場合、（Ｆ１）〜（Ｆ３）は印画紙片の幅寸法が規定サイズより小さい場合のコマ画像の拡大・縮小処理を説明するための図である。
【００５４】
まず、（Ｄ１）〜（Ｄ２）を用いて印画紙片の幅寸法が規定サイズと同一である場合のコマ画像の倍率変更処理を説明する。（Ｄ１）はフィルムスキャナ１で読み取られたコマ画像、（Ｄ２）はコマ画像が拡大された画像データにより印画紙片に対し露光処理が行われた状態を示す図である。ここで、種類取込部６０８によって読み取られる識別コードは「ＣＣＣＣ」であり、印画紙片の幅寸法の規定値は「Ｌ１」であり、縁幅設定部５３により設定される印画紙片の上下左右の縁幅は全て等しい値であり、縁幅ｉである。なお、ここでは印画紙片の上下左右の縁幅は全て同一の値に設定されているが、各辺において異なる値を設定してもよい。
【００５５】
幅寸法取得部５４は、補正テーブル５８の識別コード「ＣＣＣＣ」及び規定値「Ｌ１」より補正値が「０」であると判断し、印画紙片の幅寸法の実測値ｅ４を規定値Ｌ１と同一の値であると判断する。印画紙片上の露光領域のサイズは、印画紙片の長さ寸法ｆから上下両端の縁幅ｉの合計値を減算した値ｈ（以下、露光領域の縦幅という）及び幅寸法の規定値Ｌ１から左右両端の縁幅ｉの合計値を減算した値ｇ１（以下、露光領域の横幅）である。コマ画像のトリミング領域は、トリミング領域を除くコマ画像の縦寸法ｃ４及び横寸法ｂから求められる縦横比が、露光領域の縦幅ｈ及び横幅ｇ１から求められる縦横比と一致するようにトリミング領域設定部５６によって設定される。また、画像の倍率値は、コマ画像の横寸法ｂに対する露光領域の横幅ｇ１の倍率値であって、例えば、Ｙ倍とする。そして、倍率変更部２２１によってＹ倍に拡大されたコマ画像データは、その横幅ｂ４が露光領域の横幅ｇ１に一致すると共に、縦幅ａ４は露光領域の縦幅ｈと一致する。
【００５６】
次に、（Ｅ１）〜（Ｅ３）を用いて印画紙片の幅寸法が規定サイズより大きい場合のコマ画像の倍率変更処理を説明する。（Ｅ１）はフィルムスキャナ１で読み取られたコマ画像、（Ｅ２）はコマ画像が本実施形態で求められた倍率値によって拡大された画像データにより印画紙片に対し露光処理が行われた状態、（Ｅ３）はコマ画像が従来の方法で求められた倍率値によって拡大された画像データにより印画紙片に対し露光処理が行なわれた状態を示す図である。ここで、種類取込部６０８によって読み取られる識別コードは「ＡＡＢＢ」であり、印画紙片の幅寸法の規定値ｌは「Ｌ１」であり、縁幅設定部５３により設定される縁幅は「ｉ」であるとする。
【００５７】
（Ｅ３）に示すように、印画紙片の幅寸法の実測値ｅ５が規定値Ｌ１より大きいため、倍率値（Ｙ倍）で拡大された画像によって印画紙片に対し露光処理が行なわれると、印画紙片の左右両端に設定値ｉ以上の幅寸法ｊの縁が形成される。これに対し、本実施形態では、幅寸法取得部５４は、補正テーブル５８の識別コード「ＡＡＢＢ」及び規定値「Ｌ１」より補正値が「＋０．７」であると判断し、印画紙片の幅寸法の実測値ｅ５を規定値Ｌ１に０．７加算した値であると判断する。露光領域の縦幅ｈは、印画紙片の長さ寸法ｆから上下両端の縁幅ｉの合計値を減算した値であり、露光領域の横幅ｇ２は、幅寸法の規定値Ｌ１から左右両端の縁幅ｉの合計値を減算した値である。コマ画像のトリミング領域は、トリミング領域を除くコマ画像の縦寸法ｃ５及び横寸法ｂから求められる縦横比が、露光領域の縦幅ｈ及び横幅ｇ２によって求められた縦横比と一致するようにトリミング領域設定部５６によって設定される。また、画像の倍率値は、コマ画像の横寸法ｂに対する露光領域の横幅ｇ２の比率であり、例えば、Ｙ´倍とする。そして、倍率変更部２２１によってＹ´倍に拡大されたコマ画像データは、その横幅ｂ５が露光領域の横幅ｇ２に一致すると共に、縦幅ａ５は露光領域の縦幅ｈと一致する。
【００５８】
次に、（Ｆ１）〜（Ｆ３）を用いて印画紙片の幅寸法が規定サイズより小さい場合のコマ画像の倍率変更処理を説明する。（Ｆ１）はフィルムスキャナ１で読み取られたコマ画像、（Ｆ２）はコマ画像が本実施形態で求められた倍率値によって拡大された画像データにより印画紙片に対し露光処理が行われた状態、（Ｆ３）はコマ画像が従来の方法で求められた倍率値によって拡大された画像データにより印画紙片に対し露光処理が行なわれた状態を示す図である。ここで、種類取込部６０８によって読み取られる識別コードは「ＣＣＤＤ」であり、印画紙片の幅寸法の規定値ｌは「Ｌ１」であり、縁幅設定部５３により設定される縁幅は「ｉ」である。
【００５９】
（Ｆ３）に示すように、印画紙片の幅寸法の実測値ｅ６が規定値Ｌ１より小さいため、倍率値（Ｙ倍）で拡大された画像によって印画紙片に対し露光処理が行なわれると、印画紙片の左右両端に設定値ｉ以下の寸法ｋの縁が形成される。これに対し、本実施形態では、幅寸法取得部５４は、補正テーブル５８の識別コード「ＣＣＤＤ」及び規定値「Ｌ１」より補正値が「−０．１」であると判断し、印画紙片の幅寸法の実測値ｅ６を規定値Ｌ１からー０．１減算した値であると判断する。露光領域の縦幅ｈは、印画紙片の長さ寸法ｆから上下両端の縁幅ｉの合計値を減算した値であり、露光領域の横幅ｇ３は、幅寸法の規定値Ｌ１から左右両端の縁幅ｉの合計値を減算した値である。コマ画像のトリミング領域は、トリミング領域を除くコマ画像の縦寸法ｃ６及び横寸法ｂから求められる縦横比が、露光領域の縦幅ｈ及び横幅ｇ３によって求められた縦横比と一致するようにトリミング領域設定部５６によって設定される。また、画像の倍率値は、コマ画像の横寸法ｂに対する露光領域の横幅ｇ３の比率であって、例えば、Ｙ´´倍とする。そして、倍率変更部２２１によってＹ´´倍に拡大されたコマ画像データは、その横幅ｂ６が露光領域の横幅ｇ３に一致すると共に、縦幅ａ６は露光領域の縦幅ｈと一致する。
【００６０】
このように縁有りプリントモードの際も印画紙片の幅寸法の実測値及び縁幅データに基づき、印画紙片の露光領域のサイズを求め、露光領域のサイズに応じたトリミング領域及び倍率変更処理をするので、倍率変更処理後の画像データの横寸法を露光領域の幅方向の実測値に一致させることができ、所望サイズの縁を有する写真プリントを得ることができる。
【００６１】
なお、本実施形態では、印画紙の幅寸法の実測値を求めるために予め入力部４で印画紙の銘柄コード、規定値及び補正値を入力する必要があるが、補正値の代わりに実測値を予め入力し、種類取込部６０７，６０８で読み取られた銘柄コード、規定値から印画紙の実測値を直接特定するようにしてもよい。
【００６２】
また、本実施形態では、印画紙の幅寸法の補正データを記憶する補正テーブル５８を用意し、補正データに基づき印画紙の幅寸法の実測値を求めているが、これに限定されず、搬送路の適所に、例えば、印画３紙を引き出すためにマガジンＭ１、Ｍ２に設けられた引き出し口付近に印画紙の幅寸法を測定する測定手段を設け、測定手段によって印画紙の幅寸法の実測値を求めるようにしてもよい。この測定手段の一例として、例えば、印画紙の幅方向に移動可能であり、印画紙の幅方向における両端位置を規制する規制部材と、当該規制部材が印画紙の両端に当接した状態での当該規制部材の移動量を検出する検出手段とを設け、移動前の規制部材の間隔及び規制部材の移動量から印画紙の幅寸法の実測値を算出するようにしてもよい。
【図面の簡単な説明】
【００６３】
【図１】本発明に係る写真処理装置の一実施形態を示す概略構成図である。
【図２】図１に示す写真処理装置の構成を示すブロック図である。
【図３】図２に示す補正テーブルのデータ構造図の一例を示す図である。
【図４】図２に示すシステムコントロールの処理を示すフローチャートである。
【図５】縁無しプリントを行う場合のコマ画像の倍率変更処理を説明するための図であり、（Ａ１）〜（Ａ２）は印画紙片の幅寸法が規定サイズと同一である場合、（Ｂ１）〜（Ｂ３）は印画紙片の幅寸法が規定サイズより大きい場合、（Ｃ１）〜（Ｃ３）は印画紙片の幅寸法が規定サイズより小さい場合のコマ画像の倍率変更処理を説明するための図である。
【図６】縁有りプリントを行う場合のコマ画像の倍率変更処理を説明するための図であり、（Ｄ１）〜（Ｄ２）は印画紙片の幅寸法が規定サイズと同一である場合、（Ｅ１）〜（Ｅ３）は印画紙片の幅寸法が規定サイズより大きい場合、（Ｆ１）〜（Ｆ３）は印画紙片の幅寸法が規定サイズより小さい場合のコマ画像の倍率変更処理を説明するための図である。
【符号の説明】
【００６４】
１  フィルムスキャナ
２  画像処理部
３  表示部
４  入力部
５  システムコントローラ
６  印画紙搬送部
７  画像露光部
８  現像処理部
２１  メモリ
２２  処理部
２３  画像メモリ
５０  プリント条件受付部
５１  マガジン設定部
５２  長さ寸法設定部
５３  縁幅設定部
５４  幅寸法取得部
５５  倍率決定部
５６  トリミング領域決定部
５７  サイズ情報取得部
５８  補正テーブル
２２１  倍率変更部
２２２  トリミング処理部
【図１】
2005203899.tif 000003
【図２】
2005203899.tif 000004
【図３】
2005203899.tif 000005
【図４】
2005203899.tif 000006
【図５】
2005203899.tif 000007
【図６】
2005203899.tif 000008